(57)【特許請求の範囲】
【請求項１】
背面側にガラス枠を備える飾り枠を前枠の一側縁に蝶着し該前枠の前面に対して開閉自由となるよう備えてなるパチンコ機において、
前記飾り枠は閉塞したとき前記前枠の前面を被うと共に、該飾り枠はその自由端側の縁部に前記前枠の自由端側の一側枠部に設ける錠前に対応する部分を切欠いて該一側枠部の前面の一部を露出する切欠き部を形成し、その一方前記切欠き部に対応する前記一側枠部の前面には前記錠前の鍵穴を飾る鍵穴飾りを設置し、前記飾り枠の閉塞時に該鍵穴飾りを前記切欠き部に嵌め入れ埋めるようにしてなることを特徴としたパチンコ機。
【請求項２】
請求項１の記載において、鍵穴飾りは錠前の鍵の操作摘みの回転範囲を包含する広さを有する大きさに形成し、他方前記飾り枠の自由端側縁部に形成される切欠き部は当該鍵穴飾りを受け入れる広さに形成することを特徴としたパチンコ機。
【請求項３】
請求項１又は２の記載において、鍵穴飾りは表面を飾り枠の自由端側縁部の表面と面一になるように形状を揃え、前記飾り枠の閉塞時に切欠き部の全域を埋めて外観を揃えるようにしてなることを特徴としたパチンコ機。
【請求項４】
請求項１乃至３の記載において、鍵穴飾りの表面には飾り枠の表面に施す意匠に揃えた意匠を施し一体化してなることを特徴としたパチンコ機。
【発明の詳細な説明】
【０００１】
【産業上の利用分野】
本発明は、パチンコ機の機枠に蝶着される前枠前面にこれを被うように蝶着される飾り枠の改善に関するもので、詳しくは前枠及び／或いは飾り枠を閉塞状態に拘束する施錠装置の錠穴を上記飾り枠で被われる前枠の前面部に飾り枠の特性を損なうことなく装備できるように改善したパチンコ機に関する。
【０００２】
【従来の技術】
パチンコ機の遊技板の前面はガラスで被って打球の飛び出しや、ゲームの不正行為が行われないようにしているが、このガラスは通常金属製のガラス枠に収めて額縁形に形成される前枠の一側縁に蝶着し、開閉できる様にしてある。従来このガラス枠はスチール製の帯板をプレス成形によって２条のガラス装着溝をもった枠材を成形して、この枠材を装着溝を内側にして矩形に折り曲げて枠本体を形成し、次にこの枠本体の前縁部に沿って額縁形をなす飾り前面枠を一体に組付けて構成し、通常は上に向け開放する上記装着溝の端部からそれぞれガラスを落とし込んでガラス枠としていた。
【０００３】
このガラス枠による前枠開口部の閉塞は金属枠の縁取りによる意匠効果からそれなりの美観があり永年広く愛用されてきたが、反面デザインが単純化して飽きられる傾向にあり、またこの金属製ガラス枠による場合はその他の飾り部品類を前枠前面に個別に装着する必要があることから製造性に問題があり、またデザイン面においても統一性に欠けるところがあるため遊技板前面に施されるデザインと一致しない等の不具合があった。
【０００４】
そこで、近時ガラス枠を装飾性をもたせた飾り枠に蝶着してこの飾り枠を前枠に蝶着し、前枠の開口部を塞ぐ方法が提案されるようになった。この飾り枠による方法は飾り枠全体で前枠の前面を被い、この飾り枠の表面に施す意匠で前枠の前面を飾るものであり、同時に前枠に装備する飾りの或いは表示のランプ類をこの飾り枠に予め組込むことによって従来個別に装着していた作業を省き、製造性を高めることができるものとなっている。
【０００５】
またこの飾り枠による場合は枠全体を合成樹脂を材料に一体的に製造できることから任意の形状に成形することができ、立体的にも又着色することも容易であり前枠の前面に意匠を施す上において有利であり、更には前枠の開口部を被い包むことからこの開口部を通して行なわれる不正行為を効果的に防止できる等の利点があった。
【０００６】
【発明が解決しようとする問題点】
しかし、この飾り枠による前枠前面の装飾はこの前枠乃至ガラス枠（本発明では飾り枠になる。）を施錠する錠前の鍵穴を被うことになり、結果的に錠前を設置する場所がなくなる問題があった。
本発明はこの問題に鑑み飾り枠を装着してなるパチンコ機において、飾り枠の防犯性、意匠性、製造性等の効果を損なうことなく前枠前面に錠前の鍵穴を設けられるようにしたパチンコ機を提供せんとするものである。
【０００７】
【問題点を解決するための手段】
即ち、本発明が提供しようとするパチンコ機の特徴とするところを詳述すると、本発明は背面側にガラス枠を備える飾り枠を前枠の一側縁に蝶着しその前面に対して開閉自由に備えてなるパチンコ機において、上記飾り枠は当該飾り枠と対面する前記前枠の前面の全域を被う大きさに形成し、その一方該飾り枠の自由端側の縁部には前記前枠の一側枠部の前面の一部を露出する切り欠き部を形成し、該切り欠き部に対応する上記側枠部前面に前枠乃至飾り枠を施錠する錠前の鍵穴を飾る鍵穴飾りを設置してなることを特徴としたパチンコ機を提供することにある。
【０００８】
また本発明は、前記鍵穴飾りについて錠前の鍵の操作摘みの回転範囲を包含できる広さを有した大きさに形成し、他方飾り枠の自由端側縁部に形成される切り欠き部は当該鍵穴飾りを受け入れる広さに形成することを特徴としたパチンコ機を提供することにある。
【０００９】
また本発明は前記鍵穴飾りについて、その表面を飾り枠の自由端側縁部の表面と面一になるように形状を揃え、飾り枠の閉塞時に切り欠き部の全域を埋めて外観を揃えられるようにしてなることを特徴としたパチンコ機を提供することにある。
【００１０】
また更に本発明は、前記鍵穴飾りの表面には飾り枠の表面に施す意匠に揃えた共通の意匠を施し双方一体化してなることを特徴としたパチンコ機を提供することにある。
【００１１】
【作    用】
本発明は上述の構成から前枠の前面を飾り枠で被った場合において、飾り枠の自由端側縁部に形成する切り欠き部を通して前枠前面に装着する鍵穴飾りが前方に露出することからここに錠前の鍵穴を設けることができる。
そしてまた、本発明によれば、飾り枠と鍵穴飾りの形状、色彩等両者に施される意匠を共通させ揃えることができることから鍵穴飾りを表面に露出させることによって飾り枠に施す意匠を損なうことがない。
次に、本発明の特徴とするところを図面に示す実施例に従って詳細に説明することにする。
【００１２】
【実施例】
図１は本発明に係るパチンコ機のガラスを取り外した状態の斜視図、図２は機枠から外した前枠の正面図、図３は前枠に組付ける諸種の部材を外した状態を示す分解斜視図である。図面において１ａはパチンコ機の機枠であり、１ｂは前枠である。
前枠１ｂは上下の枠部分２，３と左右の枠部分４，５によって縦長矩形の額縁形に形成してあり、各枠部分を平板にすることによって全体を扁平に形成してある。この前枠は合成樹脂を素材に一体成形してあり、左枠部分４側の上端と下端には前記機枠１ａに開閉自由に蝶着するための上下の蝶着片６，７を止め付ける金属製の当板８，９を取付け、また開口部１０に臨む右枠部分５の内側縁部には後述する飾り枠を施錠する錠前の錠装置１１を止め付ける金属製当板１２，１３を取付けてある。
【００１３】
この前枠１ｂは前記機枠の前面を被う大きさに形成してあり、下枠部分３の前面には後述する下皿基板１４を止着する取付部として平滑な面に形成してある。そして、その中央部分には賞球の出口となる窓１５を開設し、左右及び中央部の適所には下皿基板１４の背面から突出する後述する鉤形の係止爪を掛け止める係止孔１６を設けている。
【００１４】
前枠の開口部１０は後述する遊技板の前面と打球発射装置の前面を覗かせるもので、この開口部には飾り枠１７と上皿基板１８が組付けられる。
左枠部分４には上下の端部に設けられる蝶着片６，７の中間に位置するように中間の蝶着片１９が設けてある。この蝶着片１９と上蝶着片６に飾り枠１７の左側縁の上下両縁を枢着し、これを開閉自由に蝶着し、その一方上記中間蝶着片１９とこの蝶着片と向い合う下皿基板１４の上端部の間に上皿基板１８の左側縁部を割り込ませ、これの上下両端を各枢着して同じく開閉自由に蝶着し、この両者を揃えて閉じることによって開口部１０を塞ぐことができるようにしてある。
【００１５】
上記飾り枠１７は図１０に示したように蝶着側一側縁の上端部にバネによって上方に突出するように付勢する枢着軸２０を備え、この枢着軸２０を上蝶着片６に設ける軸受孔に嵌合することによって、また下端部に下向きに突出する軸２１を中間蝶着片１９の軸受孔に嵌合させることによってそれぞれ蝶着するようにしてある。他方、上皿基板１８は蝶着側下端部に設ける下向きの軸２２を下皿基板１４の一側縁上端部に設ける軸受孔２３に嵌合させ、上端部に設ける軸受孔２４に前記飾り枠１７の軸２１を嵌合させて同じく蝶着するようにしてある。
【００１６】
上記上皿基板１８は軸２２を引き上げ軸受孔２３から抜き取ることによって蝶着を解除することができ、これによって前枠１ｂから取り外すことができるものとなっている（これについては後記詳述する。）。
また飾り枠１７はバネに抗して軸２０を引き下げ上蝶着片６から外したのち、枠体１７を持ち上げて軸２１を中間蝶着片１９から外すことによって前枠１から取り外せるものとなっている。勿論、飾り枠１７、上皿基板１８の両者は上述した取り外しの逆の作業によって前枠１ｂに組付けることができることになる。
【００１７】
ところで、上記飾り枠１７は合成樹脂を材料に額縁形に形成してあり、閉じたとき前枠１ｂの略上半部の前面を被い隠せる大きさに形成してある。ここに示す飾り枠は上縁部１７ａと左右の縁部１７ｂ，１７ｃの各中央部分を長手方向に沿って前方に膨出させて立体化してあり、背面の中央部に中空部２５を形成してランプのリード線の配線空間を設けてある。また上記各縁部の前面中央部に沿って合成樹脂を材料にして着色した半透明のレンズカバー２６，２７，２８を装着し、各縁部に形成する透孔２９を通して後方からレンズカバー背面の中空部に向け臨ませる表示乃至照明用ランプを被うようにしてある。
【００１８】
上記レンズカバー２６，２７，２８はそれぞれの縁部１７ａ，１７ｂ，１７ｃの前面に形成する縁取りした装着部３０に嵌め付けるようにして取付けられ、それぞれのカバーの縁から後方に向け突出する爪３１を上記装着部３０の縁に沿って設ける切欠き係止部３２に素材の弾性を利用して係入し取付けるようにしてある。尚、ここでは左右のカバー２７，２８を装着したのち上部のカバー２６を装着し、この三者の端部同志を継ぎ合せて飾り枠１７の前面を門形に飾るようにしてある。
【００１９】
図中、３３は上記飾り枠１７の背面からその開口部３４を塞ぐガラス枠である。このガラス枠３３は２枚のガラス３５，３５を間隔をおいて対面状に装着するもので、一側縁を飾り枠１７の左縁部１７ｂの背面に蝶着し開閉自由に取付けてある。
【００２０】
ここに示したガラス枠３３は防犯効果を高めると共に装着時のガタ付きを防止するためアルミの押出型材を素材に形成して精度を高めたもので、ここに使用される型材は図１６に示したように一面の中央部に中心部分に沿って円形の貫通穴を設ける突条３６を長さ方向に沿って隆設し、この突条を挟んで２条のガラス装着溝３７，３７を設けて実質的に断面Ｅ字型をなすように形成してある。
この型材を長さの途中において図示するようにコ字形に屈曲させ、一側枠たる左縦枠３３ａと上下の側枠たる横枠３３ｂ，３３ｃを形成し、更にこの両横枠３３ｂ，３３ｃの自由端間に別の断面コ字型をなすアルミの型材の他の側枠たる右縦枠３３ｄを渡して矩形の枠体に組み立てガラス枠を構成している。
【００２１】
上記右縦枠３３ｄは図１４，１５に示すようにコ字形に屈曲する型材の突条３６の幅員に合わせた細身の型材であって上下の横枠３３ｂ，３３ｃの端部に臨む突条３６，３６間に両端を渡してビス（図示せず）を前記円形の貫通穴に揉み込むことによって連結し矩形に組立ててある。この右縦枠３３ｄの連結によって上下の横枠３３ｂ，３３ｃのガラス装着溝３７，３７の端部を開放し（図１５参照）、ここからガラス３５の挿入が行えるようにしてある。
【００２２】
上記ガラス枠３３を構成する型材は前述した様に一側枠たる左縦枠３３ａを中心にその両端を直角に折り曲げることによって上下の側枠たる横枠３３ｂ，３３ｃを形成するものとしているが、この折曲げによって形成されるコーナー部３８，３８は直角とはならず弧状を呈することから矩形に切り出すガラス３５を前記装着溝３７の端部から差し入れ装着すると、直角をなすガラスの隅部が弧状をなす上記コーナー部３８に一致せず、その結果左縦枠３３ａとガラス３５の側縁との間に隙間が出来ることになる。
【００２３】
上記の問題はガラス３５の隅部をコーナー部３８に合わせて弧状に隅取りすれば解決されるが、ガラスにこの様な前加工を施すことはコスト高になると同時に、ガラスの一側縁上下両隅部についてのみ加工することになることからガラス３５のはめ込みに方向性が生じ、取扱い上不便である。
そこでこの実施例では両コーナー部３８，３８に当たるガラス装着溝３７，３７の底部の弧状をなす部分について長さ方向に添って切除し、長孔状の突出し穴３９、３９を開設し、ガラスの隅部が抜き出るようにしてあり、これによって矩形に形成されるガラス３５の隅部がガラス枠の弧状のコーナー部３８に対してぴったり正確に収まるようにしてある。
【００２４】
図中、４０はガラス枠内に嵌め入れるガラス３５のガタ付きを止めるため上下の横枠３３ｂ，３３ｃに取付けたガタ止め部材である。このガタ止め４０部材は弾性を有した合成樹脂を素材に成形してあり、図示するように断面コ字形をなす取付部４０ａとこの取付部４０ａの両端部から延設する二股のバネ片４０ｂからなっており、取付部４０ａを各横枠の突条３６に被せるように嵌め付け、これに突設する突起４０ｃを突条３６に設ける穴４１に圧入することで取付き、各バネ片４０ｂをそれぞれの装着溝３７内に長さ方向に沿って嵌め入れるようにしてある。
【００２５】
図１９及び図２０は上記ガタ止め４０部材の装着と、このガタ止めによるガラス３５のガタ付き防止の実際を下横枠３３ｃにおいて示したものである。ガラス装着溝３７の端部から挿入されるガラス３５は横枠の途中に取付けられるガタ止め部材４０に達したところで、溝３７に横たわるバネ片４０ｂを溝側壁に押し付けて侵入し、左縦枠３３ａの装着溝３７に一側縁を嵌め入れるまでスライドさせて装着される。
【００２６】
２枚のガラス３５は同様にしてそれぞれの装着溝３７に差し入れられ、それぞれのガタ止め部材４０のバネ片４０ｂを押し潰し、その反発力で溝の側壁に押圧されガタ止めされることになり、且つガラス相互の間隔を保つことになる。このガタ止め部材４０は上横枠３３ｂにも相対向するように装着され、上下においてガタ止めすることになる。
【００２７】
尚、このガタ止め部材４０の装着のため、この実施例ではガラス枠の各装着溝３７の幅をガラス３５の板厚よりやや広幅に形成してあり、ガラス３５と共にバネ片４０ｂが収まるようにしてある。またこの幅の拡張によってガラス３５の嵌め付けが楽に行えるようにしてある。そして、またガラス３５を内外方向から押圧した場合、その力をバネ片４０ｂが吸収してくれるようにしてある。
特に上記バネ片４０ｂによる押圧の吸収はこのガラス枠３３を前記飾り枠１７に背後から閉じ合わせたとき、開口部３４の後方に向って突き出す縁３４ａを前方のガラス３５の前面に当接させ密着させることができ、またこの閉じ合わせに当たって双方の位置関係に誤差がある場合これを吸収することができるものとなっている。
【００２８】
尚、上記ガタ止め部材４０は当該実施例において取付部４０ａの両端にバネ片４０ｂを一対宛備えた例につき説明しているが、一端側のバネ片４０ｂのみであっても、また両端から派生する２つのバネ片のうち一方を省略して２条の装着溝３７に１つづつのバネ片が介入するようにしても実施できることは言うまでもない。
このガタ止め部材４０は前述したように主としてガラス枠に嵌め込まれるガラス３５の板厚と装着溝３７の溝巾の差から生ずるガタ付きを防止するためにあるが、その外ガラス枠を飾り枠１７に閉じ合わせたとき両者間の閉じ合わせの誤差から生ずるガタ付きを防止するためにもあり、その取付位置、個数或いはバネ片の数等はその都度設計者等によって任意選択されることになる。
【００２９】
図中、符号４２，４３はガラス枠３３を飾り枠１７に蝶着するための枢着片である。この枢着片は帯状の金属片をクランク状に屈曲させ形成したもので、ガラス枠３３のコーナー部３８の外側に添わせてリベット等を使って一体に止め付けられる。この枢着片の取付けによりコーナー部３８の突出し穴３９から外に突出するガラス３５の隅部が被われることになり取扱い時の危険が回避されることになる（図１７参照）。
【００３０】
上記ガラス枠３３は飾り枠１７の左縁部１７ｂの背面の上下に備えられる枢着軸４４，４５に上記枢着片４２，４３の軸受片４２ａ，４３ａを各枢着させることによって開閉自由に取付き、自由端側の右縦枠３３ｄに設けるピン４６を係止爪４７に係合させることによって閉塞状態に保持される。
【００３１】
係止爪４７は右縁部１７ｃの背面に立設する取付台４８にビス４９で止め付け立ち上げてあり、ガラス枠３３の閉塞によって上方（実際には後方水平方向）から近付いてくるピン４６を爪５０の頭部に受けてその傾斜面に透導して一旦撓ませたのち掛け止めるられる。
図中、５１はこのガラス枠の閉塞に際してピン４６を係止爪４７に真直に衝合させ係合するよう誘導するためのガイドであり、飾り枠の右縁部１７ｃの背面部から壁状に立設し、縦に切込むスリット５２にピン４６を滑合させ係止爪４７に誘導できるようにしてある。尚、図中、５３は上記係止爪４７を位置決め固定する突起である。
【００３２】
ガラス枠３３を背面に備えた飾り枠１７は前述したように枢着軸２０，２１を支点に前枠１ｂの前面に接面するように閉じ合わされ、自由端側となる右縁部１７ｃの背面に備える係止爪（図示せず）を前記前枠１ａの開口部１０の一側縁に添わせて設ける施錠装置１１に掛け止め施錠される。そして、このとき前枠１ｂの右枠部５の前面部に設ける鍵穴飾り５４を右縁部１７ｃに設ける切欠き部５５に受け入れ両者の衝突を避けるようにしてある。
【００３３】
鍵穴飾り５４は前枠１ｂを機枠１ａに、またこの前枠に飾り枠１７を施錠してそれぞれ任意に開放しないようにする錠前（シリンダ錠）５６を前枠１ｂに取付けるための取付部材である。この鍵穴飾りは前方から錠前５６の鍵穴５６ａに鍵を差し入れ開錠操作したとき、この鍵を差し入れたまゝ飾り枠１７を自由に開閉操作できるように鍵の操作摘みの幅より広幅に形成してある。そして、切欠き部５５はこの鍵穴飾り５４を受け入れると同時に両者の間に不要の間隙が生じない大きさに整合させて形成してある。
【００３４】
上記鍵穴飾り５４は飾り枠１７を閉じ合せたとき両者の一体感を出すため右縁部１７ｃの前面膨出形状に揃えた膨らみをもたせてあり、且つ表面にはカバー２８に調子を揃えて一体となるレンズカバー５７を装着してある（図１、図２、図４及び図８参照）。
【００３５】
図中、５８ａは錠前５６の第一の操作回転片で、５８ｂは第二の操作回転片である。第一の回転片は前枠１ｂの背面に一体に設けられる機構枠体（後述する）の側面に取付けられて前枠１ｂを機枠１ａに閉じ合わせたときこれを閉塞状態に拘束する施錠装置５９を解錠するための操作片であり、第二の回転片５８ｂは飾り枠１７を拘束する前記前枠１ｂの開口部１０の縁に沿って設けられる施錠装置１１を解錠するための操作片である。尚、施錠装置１１及び５９はロック手段であって実質的には錠前５６の一部となる。
【００３６】
上記２つの操作回転片５８ａ、５８ｂは錠前５６の背後に突き出す回転軸に軸着してあり、鍵によって錠前５６を右に（時計方向に）回したとき第一の回転片５８ａが施錠装置５９を解錠し前枠１ｂの開放を許し、逆に回したとき第二の回転片５８ｂが施錠装置１１を解錠し飾り枠１７を開放することができるようになっている。
【００３７】
この鍵穴飾り５４は別体に形成するレンズカバー５７をその表面に装着して組付け、同じく別体の前記前枠１ｂの前面に添わせて取付けられる。そして、前枠１ｂの背後から錠前５６を臨ませてこれに設ける透孔を通してシリンダー部分を上記鍵穴飾りに差し入れ鍵穴５６ａを前方に臨ませ、シリンダー部分後部に設ける取付片を前枠背面にねじ止めすることによって取り付けられる。
【００３８】
一方、前記上皿基板１８は前述したように軸２２を下皿基板１４の軸受孔２３に軸着し、左側上端部の軸受孔２４に中間蝶着片１９に枢着した軸２１を嵌入させることによって蝶着され開閉自由に前枠１ｂに組付けられるが、この基板は前記飾り枠１７に合せて合成樹脂を素材に成形し、上部前面の中央部に賞球装置から放出される賞球を受ける受皿６０を一体に設け、基板背面の適所には打球供給樋６１や、放出賞球を賞球樋から受け取る連絡樋６２を装備する裏基板（図示せず）を止め付けるためのビス受け６３が設けてある。そして、蝶着端側の背面には軸２２を支持し、また軸受孔２４を補強する金属製補強材６４が、そして自由端側の背面には係止部材６５がそれぞれ取付けてある。
【００３９】
補強材６４は帯状の金属板の両端を直角に折り曲げ、一方を軸受孔２４の補強片６６とし、他方を軸２２の支持片６７とするもので、片６６には軸受孔２４に対応した位置に透孔６８を設け、支持片６７には軸２２を受け入れる挿通孔を設けてある。
軸２２は金属丸棒をＬ字形に折り曲げ形成したもので、一方の軸を摘みとして補強材に縦に開設するスリット６９に滑合させて上記支持片６７の挿通孔に通した他方の軸をこの摘みにより上下に操作できるようにしてある。
【００４０】
上記軸２２の上下の移動は上皿基板１８の装着に便ならしめるためのもので、前述したように中間蝶着片１９に通した軸２１を軸受孔２４、透孔６８に挿通したのち、軸２２を引き上げて下皿基板１４の軸受孔２３の直上に臨ませ、その後スリット６９に滑合する軸部（摘み）を操作して引き下げ軸受孔２３に突入させることによって上皿基板１８の組付けが行えるようにしてある。
【００４１】
一方、係止部材６５は取付片７０とスライド係止片７１からなっており、取付片７０を介して基板の自由端側背面に設けられる取付部７２に装着される。
スライド係止片７１はこの片に設ける爪７３と取付片７０に設ける爪７４との間に縮設するバネ（図示せず）によって常時上方に付勢され、前記軸２１，２２を支点に上皿基板１８を回動し閉塞したとき、このスライド係止片７１から後方に向けて突設する係止爪７５を前枠１ｂの右枠部５に設ける係止部７６に上記バネに抗して掛け止められるようにしてある。
【００４２】
上記係止部７６は金属板を打抜き形成したものであり、係止爪７５はこの係止部７６に開設する穴７７に突入し掛け止められる。そして、係止部材６５は上皿基板の自由端側上端に頭を出すスライド係止片７１の上端７８を押圧することによって係止爪７５の係合を解き上皿基板の開放を許すことになる。
【００４３】
上皿基板１８の前面に設けられる受皿６０の前面には飾り枠１７の左縁部１７ｂの前面に沿って縦長に配置されるレンズカバー２７に揃えてこれに連続するように横長の飾りレンズカバー７９を配設し、また、前面右側縁には同じくレンズカバー２８の下端に接続するように飾りレンズカバー８０を配設してこの上皿基板１８と飾り枠１７とが一つの統一した意匠の中にあるように揃えてある。
【００４４】
下皿基板１４は前枠１ｂの下枠部３の前面に固定されるが、上皿基板と同様に合成樹脂を材料に成形されており、前面には受皿８１と灰皿８２の取付部８３と打球発射用の操作グリップ８４を装置する装着部８５が一体に備えられ、上記受皿８１の前面にはレンズカバー８０に続く飾りのレンズカバー８６を装着して上皿基板と一体となる意匠が施してある。
【００４５】
図中、８７は前枠１ｂの背面に取付けられる機構枠体である。この機構枠体８７は金属板で浅い箱形に形成してあり、内部下方には上下に仕切るように遊技板８８の受台８９が設けてあり、その前面部には打球発射装置９０ａと発射レール９０ｂが備えられる。この機構枠体の背面上部には賞球タンク９１が取付けられ、窓９２を開設した背板９３の背面には賞球装置、賞球放出樋、セーフ球集合室、セーフ球通路等の機構装置、部品類が設備され、更にこれら部品類を被う合成樹脂製のカバー９４が取付けられ、また機構枠体の下方には賞球箱９５が取付けられ、前記下皿基板１４の背後から受皿８１に対して賞球が送り出せるようにしてある。
【００４６】
遊技板８８は前枠１ｂの開口部１０を塞ぐ飾り枠１７、上皿基板１８を開放して前方から機構枠体内部に持込み、機構枠体８７に備える止めクリップ（図示せず）で遊技板の周縁部を固定し着脱自由に取付けられ、常には閉塞される飾り枠１７の開口部３４に装着されるガラス枠３３を通して前方から覗けるものとなっている。
【００４７】
ところで、前記飾り枠１７及び上皿基板１８は使用時塞閉状態におかれ、前枠１ｂの開口部１０を閉ざすことになるが、両者の召し合せ部分を通しておこなはれる遊技板に対する不正行為を防止するため、前枠１ｂの前面外周縁には縁に沿って段部９６を設け、また飾り枠１７と上皿基板１８の周縁部には上記段部９６に嵌り付く後向きの縁部９７，９８が設けてある。
【００４８】
飾り枠１７と上皿基板１８の横幅を前枠１ｂの横幅に揃えてその前面を被う大きさに形成してある理由の一つは両者の召し合わせ部分を前枠１ｂの開口部１０から離して不正行為を防止することにあるが、更にここでは段部９６と縁部９７，９８の噛み合せを加えることによってその効果を高めてある。
【００４９】
本発明における不正行為の防止策について更に説明すると、前枠１ｂの右枠部５の前面に取付けられる前記鍵穴飾り５４とこれに臨む飾り枠１７の自由端となる右縁部１７ｃに設けられる切欠き部５５との間にも同じく噛み合せ関係が形成されている。
即ち、図８に示した如く鍵穴飾り５４には内側の縁９９を断面コ字形に形成して前方に開放する溝形に形成し、この縁に切欠き部５５の後向きの縁１００を嵌め入れて両者の召し合せ部分からのピアノ線等の不正部材の侵入が阻止できるようにしてある。
【００５０】
また、飾り枠１７と上皿基板１８とが向い合う縁部には図５及び図７に示したように上皿基板の上縁１０１を断面コ字形にして前方に開放する溝を設け、他方飾り枠１７の下縁部１７ｄは後向きの縁１０２にして両者を閉じ合せたとき噛み合って前後方向に真直な空隙が出来ないようにしてある。
【００５１】
本発明を図面に従って説明したが、前述した各部は組立製造する前に、各独立のものとして構成し、機枠１ａについては矩形の枠体として、また前枠１ｂは扁平な額縁形に、飾り枠１７、上皿基板１８及び下皿基板１４はそれぞれ合成樹脂を素材に個別に形成し、機構枠体８７については金属板により別体に形成することになる。
【００５２】
この個別に形成される各部につき、機枠１ａについては前枠１ｂを蝶着する蝶着片１０３を予め取付け、また前枠１ｂには同じく機枠１ａの蝶着片に対応させて上下の蝶着片６，７と中間蝶着片１９及び施錠装置１１を予め取付けてそれぞれ基本構成体として準備しておくことになる。尚、前枠に取付られる鍵穴飾り５４については前枠の前面に突き出ることから後述する全体の組立時に取付るようにして前枠は扁平な板枠のままにしておくとよい。
【００５３】
その一方、飾り枠１７は前面を飾るレンズカバー２６，２７，２８を装着しておくと共に表示若しくは照明のランプを装着し、上皿基板及び下皿基板についても同様にレンズカバー７９，８６を装着しておくことになる。
機構枠体８７は貯留タンク９１を始めとして諸種の機構部品類を装着し、前面には発射装置９０ａ、発射レール９０ｂ等を組付けておくことになる。
【００５４】
この様に各部材を個別に、しかもそれぞれ予め定められた部品類を装着した部材は独立した状態で保管、管理し、製造の最終組立の段階で順次集めて前述した組合せ関係において結合組立て完成することになる。この組立時には相互の組立調整と電気関係並びに入賞に伴う賞球の放出等の諸調整、検査が行われる。
【００５５】
尚、飾り枠１７、上皿基板１８、下皿基板１４は組立完成時にパチンコ機の前面に現れ、パチンコ機のデザインを決定することから前枠１ｂとの組立に先立って三者の取り合せが決定され、この段階でパチンコ機そのもののデザインが確定することになる。このことから本発明においては前枠１ｂと機構枠体８７を同一にして飾り枠１７、上皿下皿の基板１４，１８の取り合わせを変えることによってデザインを違えた複数種のパチンコ機を製造することができることになる。勿論、パチンコ機は遊技板８８の選択によって、またこの遊技板に組込まれる入賞装置に関連するゲームソフトの変更によって機種が変化し、異なるパチンコ機として組立られることは言うまでもない。
【００５６】
【発明の効果】
以上本発明を図示する実施例につき詳述したが、本発明によれば前枠の前面を被う飾り枠１７の一部を切り欠いて切欠き部５５を形成し、これによって露出した前枠の前面部分に鍵穴飾り５４を設けると共に、この鍵穴飾り５４を飾り枠１７の形状に揃え、且つ前記切欠き部５５の形状に整合するように設けることから飾り枠を閉塞したとき上記鍵穴飾り５４をその一部とすることができ、従って外観上飾り枠の意匠効果、防犯効果等その趣旨を損なうことなく前枠１ｂの前面位置に錠前５６の鍵穴を臨ませて設置することができる。
しかも本発明によれば、上記鍵穴飾り５４は飾り枠を閉塞したときこれと一体になると共に、所要の大きさに形成して鍵の操作摘みの回転操作範囲をカバーできることから鍵を鍵穴に差し入れたまま飾り枠の開閉作業が行え、従って前枠を開放したときそのままこの前枠１ｂから飾り枠１７を開放することができ作業上極めて便利である。
また本発明は、前枠に対して鍵穴飾りを別体に形成して組立作業の段階で組付けるものとしたことから前枠を保管管理の段階では扁平な平板の枠のままにしておくことができ、従って量産に当たって保管の空間を大幅に節減できる利点がある。
【図面の簡単な説明】
【図１】ガラス並びに遊技板を取り除いた状態の本発明にかかるパチンコ機の斜面図。
【図２】前枠の正面図。
【図３】前枠に組付けられる諸種の部材を外した状態を示す分解斜視図。
【図４】前枠本体の正面図。
【図５】図２のＡ−Ａ線拡大断面図。
【図６】図５のイの円で囲んだ部分の拡大断面図。
【図７】図５のロの円で囲んだ部分の拡大断面図。
【図８】図２のＢ−Ｂ線拡大断面図。
【図９】図２のＣ−Ｃ線拡大断面図。
【図１０】飾り枠の背面図。
【図１１】飾り枠の分解斜視図。
【図１２】飾り枠からガラス枠を外した状態の背面側から見た斜視図。
【図１３】一部欠截したガラス枠の拡大背面図。
【図１４】一部欠截したガラス枠の拡大平面図。
【図１５】一部欠截したガラス枠の拡大右側面図。
【図１６】ガラス枠を構成する型材の拡大断面図。
【図１７】ガラス枠の一部断面としたコーナー部を中心とした部分拡大背面図。
【図１８】ガラス枠の部分の分解拡大斜視図。
【図１９】ガタ止めを装着したガラス枠の部分拡大平面図。
【図２０】ガタ止めとガラスとの関係を示すガラス枠の部分拡大平面図。
【図２１】ガラス枠の閉塞状態におけるピンと係止片との関係を示す拡大背面図。
【図２２】図２０のＤ−Ｄ線断面図。
【図２３】上皿基板の分解拡大斜視図。
【図２４】上皿基板の平面図である。
【符号の説明】
１ａ              機枠
１ｂ              前枠
２                前枠の上枠部分
３                前枠の下枠部分
４                前枠の左枠部分
５                前枠の右枠部分
６                上の蝶着片
７                下の蝶着片
１０              前枠の開口部
１１              施錠装置
１４              下皿基板
１７              飾り枠
１７ｃ            飾り枠の右縁部
１８              上皿基板
１９              中間の蝶着片
２８              レンズカバー
３５              ガラス
５４              鍵穴飾り
５５              飾り枠に形成する切欠き部
５６              錠前
５６ａ            鍵穴
５７              レンズカバー
５８ａ，５８ｂ    操作回転片
５９              施錠装置
９９              鍵穴飾りの内側の縁
１００            切欠き部の後向きの縁
【図１】
0003603124.tif 000002
【図２】
0003603124.tif 000003
【図３】
0003603124.tif 000004
【図４】
0003603124.tif 000005
【図５】
0003603124.tif 000006
【図６】
0003603124.tif 000007
【図７】
0003603124.tif 000008
【図８】
0003603124.tif 000009
【図９】
0003603124.tif 000010
【図１０】
0003603124.tif 000011
【図１１】
0003603124.tif 000012
【図１２】
0003603124.tif 000013
【図１３】
0003603124.tif 000014
【図１４】
0003603124.tif 000015
【図１５】
0003603124.tif 000016
【図１６】
0003603124.tif 000017
【図１７】
0003603124.tif 000018
【図１８】
0003603124.tif 000019
【図１９】
0003603124.tif 000020
【図２０】
0003603124.tif 000021
【図２１】
0003603124.tif 000022
【図２２】
0003603124.tif 000023
【図２３】
0003603124.tif 000024
【図２４】
0003603124.tif 000025